(57)【特許請求の範囲】
【請求項１】
室内機及び室外機を有する空気調和装置と、
前記室内機に接続され、前記室内機と通信するアダプターと、
操作端末と通信して前記空気調和装置を動作させる操作情報を前記操作端末から受け取るとともに、外部ネットワークを介して前記アダプターと通信する集中管理装置と、
を備え、
前記室内機は、
予め設定された動作を行う試運転モードを実施するのに利用される試運転スイッチと、
前記アダプターに接続され、前記試運転スイッチがオンされた場合に前記試運転モードを実施する制御部と、
を有し、
前記制御部は、
前記試運転スイッチがオンされた場合には、前記試運転モードが実施されているとの情報を前記アダプター及び前記外部ネットワークを介して前記集中管理装置に送信するモード制御手段を有し、
前記集中管理装置は、
前記試運転モードが実施されているとの前記情報を受信すると、前記操作端末から前記空気調和装置の動作変更をさせないように前記操作端末の操作を規制する動作規制手段を有し、
前記動作規制手段は、
前記試運転モードが実施されているか否かの判定をし、
前記試運転モードが実施されていないと判定すると前記操作情報を前記アダプターに出力し、前記試運転モードが実施されていると判定すると前記操作端末から前記空気調和装置の動作変更をさせないように前記操作端末の操作を規制し、
前記制御部は、
前記試運転モードが実施されていると前記動作規制手段が判定した場合において、前記操作情報を前記アダプターから受け取ると、前記試運転スイッチがオンされているか否かを判定し、
前記試運転スイッチがオンされていると判定すると前記操作情報にかかわらず、前記試運転モードを実施し、前記試運転スイッチがオンされていないと判定すると前記操作情報に基づいて前記空気調和装置を動作させる
ことを特徴とする空調システム。
【請求項２】
室内機及び室外機を有する空気調和装置と、
前記室内機に接続され、前記室内機と通信するアダプターと、
操作端末と通信して前記空気調和装置を動作させる操作情報を前記操作端末から受け取るとともに、外部ネットワークを介して前記アダプターと通信する集中管理装置と、
を備え、
前記室内機は、
予め設定された動作を行う試運転モードを実施するのに利用される試運転スイッチと、
前記アダプターに接続され、前記試運転スイッチがオンされた場合に前記試運転モードを実施する制御部と、
を有し、
前記制御部は、
前記試運転スイッチがオンされた場合には、前記試運転モードが実施されているとの情報を前記アダプター及び前記外部ネットワークを介して前記集中管理装置に送信するモード制御手段を有し、
前記集中管理装置は、
前記操作情報を記憶する記憶手段と、
前記試運転モードが実施されているとの前記情報を受信すると、前記記憶手段に記憶されている前記操作情報を前記アダプターに出力しない動作規制手段とを有し、
前記動作規制手段は、
前記試運転モードが実施されているか否かの判定をし、
前記試運転モードが実施されていないと判定すると前記操作情報を前記アダプターに出力し、前記試運転モードが実施されていると判定すると前記操作情報を前記アダプターに出力せず、
前記制御部は、
前記試運転モードが実施されていると前記動作規制手段が判定した場合において、前記操作情報を前記アダプターから受け取ると、前記試運転スイッチがオンされているか否かを判定し、
前記試運転スイッチがオンされていると判定すると前記操作情報にかかわらず、前記試運転モードを実施し、前記試運転スイッチがオンされていないと判定すると前記操作情報に基づいて前記空気調和装置を動作させる
ことを特徴とする空調システム。
【請求項３】
前記動作規制手段は、
前記試運転モードが実施されているとの前記情報を受信すると、前記空気調和装置が前記試運転モードをしていることを前記操作端末に表示させる
ことを特徴とする請求項１又は２に記載の空調システム。
【発明の詳細な説明】
【技術分野】
【０００１】
本発明は、空調システムに関するものである。
【背景技術】
【０００２】
従来、宅外にいるユーザーが携帯電話などの端末を利用することで、宅外遠隔から空気調和装置を操作することができるように構成した空気調和装置に関する技術が提案されている（たとえば、特許文献１参照）。
特許文献１に記載の技術は、自宅にいるユーザーによるリモコンの運転指示内容に応じて、宅外にいるユーザーが携帯電話などの端末で操作できる運転指示内容に制限を課すようにしたものである。これにより、たとえば自宅にいるユーザーが冷房運転を実施しているのに、宅外にいるユーザーからの操作で暖房運転に移行するといったような、自宅にいるユーザーの意図しない運転に移行することを防止している。
【先行技術文献】
【特許文献】
【０００３】
【特許文献１】特開２００７−２４４２０号公報（たとえば、図３参照）
【発明の概要】
【発明が解決しようとする課題】
【０００４】
空気調和装置には、サービスマンが空気調和装置を点検、修理などしている際に、空気調和装置が正常に動作するかを確認するのに利用される試運転スイッチが設けられているものが存在する。サービスマンが試運転スイッチをオンすると、制御部に予め格納されたプログラムが起動し、室内機の送風ファン及び風向板、室外機の圧縮機などが、プログラムに応じた動作をする。
【０００５】
特許文献１に記載の技術では、試運転スイッチをオンして空気調和装置が正常動作をするかを確認しているときに、携帯電話などの端末により宅外から空気調和装置の動作内容が変更されてしまう可能性があるという課題がある。すなわち、特許文献１に記載の技術では、サービスマンが空気調和装置の点検などをしにくくなる場合があり、空気調和装置のメンテナンス性が損なわれてしまうという課題がある。
【０００６】
本発明は、以上のような課題を解決するためになされたもので、メンテナンス性が損なわれることを抑制する空調システムを提供することを目的としている。
【課題を解決するための手段】
【０００７】
本発明に係る空調システムは、室内機及び室外機を有する空気調和装置と、室内機に接続され、室内機と通信するアダプターと、操作端末と通信して空気調和装置を動作させる操作情報を操作端末から受け取るとともに、外部ネットワークを介してアダプターと通信する集中管理装置と、を備え、室内機は、予め設定された動作を行う試運転モードを実施するのに利用される試運転スイッチと、アダプターに接続され、試運転スイッチがオンされた場合に試運転モードを実施する制御部と、を有し、制御部は、試運転スイッチがオンされた場合には、試運転モードが実施されているとの情報をアダプター及び外部ネットワークを介して集中管理装置に送信するモード制御手段を有し、集中管理装置は、試運転モードが実施されているとの情報を受信すると、操作端末から空気調和装置の動作変更をさせないように操作端末の操作を規制する動作規制手段を有し、動作規制手段は、試運転モードが実施されているか否かの判定をし、試運転モードが実施されていないと判定すると操作情報をアダプターに出力し、試運転モードが実施されていると判定すると操作端末から空気調和装置の動作変更をさせないように操作端末の操作を規制し、制御部は、試運転モードが実施されていると動作規制手段が判定した場合において、操作情報をアダプターから受け取ると、試運転スイッチがオンされているか否かを判定し、試運転スイッチがオンされていると判定すると操作情報にかかわらず、試運転モードを実施し、試運転スイッチがオンされていないと判定すると操作情報に基づいて空気調和装置を動作させるものである。
【発明の効果】
【０００８】
本発明に係る空調システムによれば、上記構成を有しているため、メンテナンス性が損なわれることを抑制することができる。
【図面の簡単な説明】
【０００９】
【図１】本発明の実施の形態に係る空気調和装置を含む空調システムを示す模式図である。
【図２】本発明の実施の形態に係る空気調和装置の説明図である。
【図３】本発明の実施の形態に係る空気調和装置の室内機の断面図である。
【図４】本発明の実施の形態に係る空調システムを示すブロック図である。
【図５】本発明の実施の形態に係る空気調和装置の第１の制御フローを示した図である。
【図６】本発明の実施の形態に係る空気調和装置の第２の制御フローを示した図である。
【図７】本発明の実施の形態に係る空気調和装置の第３の制御フローを示した図である。
【図８】操作端末に表示される内容の一例である。
【発明を実施するための形態】
【００１０】
以下、本発明の実施の形態を図面に基づいて説明する。
実施の形態．
図１は、実施の形態に係る空気調和装置１００を含む空調システム５００を示す模式図である。図２は、実施の形態に係る空気調和装置１００の説明図である。図３は、実施の形態に係る空気調和装置１００の室内機１の断面図である。図１〜図３に基づいて、空気調和装置１００及びこの空気調和装置１００を含む空調システム５００について説明する。
【００１１】
［空調システム５００］
図１に示すように、空調システム５００は、コントローラ７を有する空気調和装置１００と、空気調和装置１００に接続されているアダプター２と、アダプター２と通信するルータ８と、ルータ８と外部ネットワーク１１を介して通信する集中管理装置１３と、集中管理装置１３と通信する携帯電話などの操作端末９とを有している。
【００１２】
（空気調和装置１００）
空気調和装置１００は、空調対象空間（たとえば、家屋の部屋、倉庫、ビルの一室など）に空調空気を供給する室内機１と、絞り装置５１及び圧縮機５２などが搭載された室外機１Ｂとを有している。そして、室内機１と室外機１Ｂとが冷媒配管６３で接続されている。
【００１３】
室内機１は、たとえば居宅１０に設置されているものである。そして、室内機１は、空調対象空間（たとえば、部屋、倉庫、ビルの一室など）に空気を供給する送風ファン１０６と、送風ファン１０６から吹き出される空気の方向を調節するのに利用される風向板ユニット１０７と、冷媒が供給される室内熱交換器１０８とを有している。また、室内機１は、室内機１に付属されたコントローラ７からのリモコン情報を受信する受信部３と、予め設定された動作を室内機１にさせる試運転スイッチ５０と、受信部３及び試運転スイッチ５０に電気的に接続されている制御部２１とを有している。風向板ユニット１０７は、回転自在の風向板、及び風向板を回転させるモーターなどから構成されるものである。
なお、コントローラ７は、空気調和装置１００を遠隔操作できるリモートコントローラであるものとして説明するが、それに限定されるものではなく、有線で室内機１に接続されたものであってもよい。
【００１４】
試運転スイッチ５０は、サービスマンが空気調和装置１００の点検、診断などのため、室内機１が正常に動作するかを確認するのに利用されるものである。すなわち、制御部２１は、室内機１の動作点検などのために、送風ファン１０６の回転数（オンオフを含む）、風向板ユニット１０７の角度、絞り装置５１の開度、及び圧縮機５２の回転数（オンオフを含む）などを予め設定された値にするプログラムを有している。そして、サービスマンが試運転スイッチ５０をオンすると、制御部２１はこのプログラムを実行し、送風ファン１０６などを駆動する。制御部２１については、後段の図４で詳しく説明する。
【００１５】
室外機１Ｂは、たとえば、屋外、ビルの屋上などに設置されるものである。室外機１Ｂは、冷媒を減圧する絞り装置５１と、冷媒を圧縮する圧縮機５２と、冷媒の流路を切り換える四方弁５３と、暖房運転時には蒸発器として機能し、冷媒運転時には凝縮器（放熱器）として機能する室外熱交換器５４と、室外熱交換器５４に付設され、室外熱交換器５４に空気を供給する室外送風ファン５５とを有している。
また、室外機１Ｂは、制御部２１と電気的に接続され、制御部２１と情報のやりとりをする室外機制御部２１Ｂを有している。この室外機制御部２１Ｂは、図示は省略しているが、たとえば、圧縮機５２などが搭載される圧縮機室の上部に配置される電気品箱に設けられる。室外機制御部２１Ｂは、制御部２１から受け取った情報に基づいて圧縮機５２の回転数及び絞り装置５１の開度を制御する。なお、室外機１Ｂに絞り装置５１が設置されているものとして説明するが、それに限定されるものではなく、室外機１Ｂの外側に設けられていてもよい。
【００１６】
空気調和装置１００の駆動部には、室内機１の送風ファン１０６及び風向板ユニット１０７、室外機１Ｂの圧縮機５２、絞り装置５１、四方弁５３及び室外送風ファン５５などが該当する。なお、たとえば、図示省略しているが、室内機１が、室内機１に備え付けられる集塵フィルターに付設されるプラズマ集塵部などを有していてもよい。なお、プラズマ集塵部は、たとえば対向電極及び電源などを有するものである。プラズマ集塵部も駆動部に該当する。
【００１７】
（アダプター２）
アダプター２は、室外機１Ｂの制御部２１に接続され、制御部２１と情報のやりとりを行うものである。また、アダプター２は、ルータ８と無線で接続されており、ルータ８を介して外部ネットワーク１１に接続されているものである。なお、本実施の形態では、空気調和装置１００がアダプター２を構成として有さないものとして説明するが、それに限定されるものではなく、空気調和装置１００がアダプター２を構成として有するものであってもよい。
【００１８】
（ルータ８）
ルータ８は、空気調和装置１００と操作端末９とのデータを２つ以上の異なるネットワーク間に中継する通信機器である。ルータ８は、コントローラ７、制御部２１及びアダプター２などを接続して構成されるネットワークと、集中管理装置１３及び外部ネットワーク１１などを接続して構成される外部ネットワーク１１とを中継する通信機器である。ルータ８は、無線によりアダプター２に接続されるとともに、外部ネットワーク１１を介して集中管理装置１３に接続されている。外部ネットワーク１１は、たとえば、インターネット網１２であって、このインターネット網１２に、サーバ等の集中管理装置１３が接続されている。
【００１９】
（集中管理装置１３）
集中管理装置１３は、操作端末９と通信を行うものである。宅外において、たとえば操作端末９を用いて、室内機１に対する操作指示がなされると、インターネット網１２を介して、この操作指示に関する運転内容が、一旦集中管理装置１３に保存される。この集中管理装置１３は、アダプター２を介して室内機１と、定期的に情報のやりとりを行っている。この情報のやりとりは、たとえば、５分に一回程度行われる。
【００２０】
制御部２１は、室内機１に関する情報を、アダプター２に出力する。アダプター２は、室内機１から受け取った情報をルータ８に送信する。ルータ８は、アダプター２から受け取った情報を、インターネット網１２を介して集中管理装置１３に送信する。
集中管理装置１３は、情報が記憶される記憶手段１３Ｂを有している。この記憶手段１３Ｂには、上記送信に対する返信などを行う際に利用される情報などが記憶されている。この記憶されている情報は、たとえば集中管理装置１３からインターネット網１２に出力される。ルータ８は、インターネット網１２を介して集中管理装置１３から出力された情報を受け取る。ルータ８は、この受け取った情報をアダプター２に送信する。アダプター２は、ルータ８から受け取った情報を制御部２１に送信する。このように、集中管理装置１３と室内機１とは、定期的に情報のやりとりを行っている。
【００２１】
集中管理装置１３は、次のような制御により、操作端末９からの操作で空気調和装置１００の運転が変更されないようにしている。集中管理装置１３は、動作規制手段１３Ａを有しており、操作端末９を制御することができるものである。この動作規制手段１３Ａは、試運転モードが実施されているとの情報をアダプター２より外部ネットワーク１１を介して受信すると、操作端末９から空気調和装置１００の動作変更をさせないように操作端末９の操作を規制するものである（後述の図７のステップＳ３０１参照）。
具体的には、操作端末９から集中管理装置１３に、現在の空気調和装置１００の運転情報の要求があったときにおいて、記憶手段１３Ｂに現在の空気調和装置１００が試運転モードを実施しているとの情報が記憶されていると、集中管理装置１３（動作規制手段１３Ａ）は、空気調和装置１００が試運転モードをしていることを操作端末９に表示させる（後述の図６のステップＳ２１３参照）。そして、動作規制手段１３Ａから操作端末９に運転内容の変更ができないように出力がなされ、ユーザーは空気調和装置１００の運転内容を変更しようとしても操作端末９の動作が規制されて変更ができなくなる（後述の図６のステップＳ２１４参照）。
【００２２】
また、集中管理装置１３の動作規制手段１３Ａは、上記とは異なる制御により、操作端末９からの操作で空気調和装置１００の運転が変更されないようにしている。集中管理装置１３の動作規制手段１３Ａは、試運転モードが実施されているとの情報を受信すると記憶手段１３Ｂに記憶する。集中管理装置１３は、アダプター２から受け取った試運転スイッチ情報に基づいて試運転モードを実施しているか否かを判定し、試運転モードを実施していると判定した場合には、操作端末９から出力され、記憶手段１３Ｂに記憶されている操作情報Ｂをアダプター２に出力しない。
【００２３】
（操作端末９）
操作端末９は、たとえば、携帯電話などの端末である。操作端末９は、集中管理装置１３と通信を行うことができるものである。なお、操作端末９は携帯電話に限定されるものではなく、たとえば、集中管理装置１３と通信することができる端末であればよい。
【００２４】
操作端末９は、空気調和装置１００を動作させるのに利用されるプログラム（アプリケーション）を有しているものである。このアプリケーションは、たとえば、風量の調節、温度の調節、風向板ユニット１０７の角度の調節などを入力することができるように構成されている。たとえば、操作端末９を有するユーザーが、風量変更、温度変更、風向板ユニット１０７の角度変更などを実行するように操作端末９を入力すると、この入力情報が集中管理装置１３、インターネット網１２、ルータ８及びアダプター２を介して制御部２１に出力される。そして、制御部２１は、たとえば風量変更の出力を受け取ると送風ファン１０６の回転数の増減をする。また、制御部２１は、温度変更の出力を受け取ると、絞り装置５１の開度の調整及び圧縮機５２の回転数の増減などをする。さらに、制御部２１は、風向板ユニット１０７の角度変更の出力を受け取ると、風向板ユニット１０７を駆動するモータ（図示省略）を動作させる。
【００２５】
［空気調和装置１００の冷凍サイクルについて］
図２（ａ）を参照しながら、同図で示される冷媒回路の冷凍サイクル動作について説明する。図２（ａ）において、冷房運転時及び除湿運転時には、冷媒回路内の冷媒は実線で示す矢印の方向に流れ、一方、暖房運転には、冷媒回路内の冷媒は破線で示す矢印の方向に流れる。
【００２６】
まず、冷房運転について説明する。冷房運転開始時に、冷媒回路内の冷媒が図２（ａ）の実線で示す方向に流れるように、四方弁５３の接続が切り替えられる。圧縮機５２によって圧縮され吐出された気体冷媒は、四方弁５３を経由して、室外熱交換器５４へ流入する。この室外熱交換器５４に流入した気体冷媒は、室外送風ファン５５から供給される外気と熱交換が実施されて凝縮し、室外熱交換器５４から流出する。この室外熱交換器５４から流出した冷媒は、絞り装置５１に流入し、この絞り装置５１によって膨張され減圧される。減圧された冷媒は、室内熱交換器１０８に流入し、送風ファン１０６から供給される室内空気と熱交換が実施されて気化し、室内熱交換器１０８から流出する。この室内熱交換器１０８から流出した気体冷媒は、四方弁５３を介して圧縮機５２に吸引される。
【００２７】
次に、暖房運転について説明する。暖房運転開始時に、冷媒回路内の冷媒が図２（ａ）に示す破線で示す方向に流れるように、四方弁５３の接続が切り替えられる。圧縮機５２によって圧縮され吐出された気体冷媒は、四方弁５３を経由して、室内熱交換器１０８に流入する。この室内熱交換器１０８に流入した気体冷媒は、送風ファン１０６から供給される室内空気と熱交換が実施され凝縮し、室内熱交換器１０８から流出する。この室内熱交換器１０８から流出した冷媒は、絞り装置５１に流入し、この絞り装置５１によって膨張され減圧される。減圧された冷媒は、室外熱交換器５４に流入し、室外送風ファン５５から供給される室外空気と熱交換が実施されて気化し、室外熱交換器５４から流出する。この室外熱交換器５４から流出した気体冷媒は、四方弁５３を介して圧縮機５２に吸引される。
【００２８】
［制御部２１について］
次に、制御部２１について説明する。図４は、実施の形態に係る空調システム５００を示すブロック図である。制御部２１は、情報入力手段２２、情報入出力手段２３、記憶手段２５、モード制御手段２６及び出力手段２４を備えている。制御部２１は、たとえば、マイコンなどで構成されるものである。
【００２９】
情報入力手段２２は、試運転スイッチ５０からの試運転スイッチ情報を受け取って処理するものである。また、情報入力手段２２は、コントローラ７からのリモコン情報を受信した受信部３から、このリモコン情報を受け取って処理するものである。
情報入出力手段２３は、集中管理装置１３からの操作情報Ｂを受信したアダプター２から、この操作情報Ｂを受け取って処理するものである。また、情報入出力手段２３は、それに加え、室内機１自体の情報を、アダプター２に出力するものである。情報入出力手段２３からアダプター２に出力される情報としては、たとえば、リモコン情報がある。
【００３０】
記憶手段２５は、各種の制御設定値及びプログラムなどが記憶されているものである。記憶手段２５は、たとえばフラッシュメモリなどに対応する記憶媒体で構成される。記憶手段２５には、予め設定された動作である試運転モードを空気調和装置１００に行わせるためのプログラムが記憶されている。
試運転モードのプログラムとしては、たとえば、（１）送風ファン１０６について予め設定された回転数及び時間の運転をしたり、（２）風向板ユニット１０７の角度を変更したり、（３）プラズマ集塵部が設けられていれば、このプラズマ集塵部を駆動したりするものがある。その他に、試運転モードのプログラムとしては、（４）予め設定された温度の冷房運転、暖房運転を実行するものであってもよい。すなわち、上記（１）で説明した室内機１の送風ファン１０６を駆動し、さらに、室外機１Ｂの圧縮機５２及び室外送風ファン５５を駆動するとともに絞り装置５１の開度及び四方弁５３の流路の切り換え等を行うものであってもよい。さらに、試運転モードのプログラムとしては、（５）室外機１Ｂ側に空気調和装置１００の冷媒回路内の冷媒を回収するものであってもよい。
【００３１】
記憶手段２５は、モード制御手段２６により、リモコン情報又は操作情報Ｂなどに基づいた制御設定値又はプログラムなどが読み出される。そして、モード制御手段２６によって演算がされた後に、その演算結果が出力手段２４、情報入出力手段２３に送信される。
【００３２】
モード制御手段２６は、操作情報Ｂが受信されたとき、リモコン情報が受信されたとき、及び試運転スイッチ情報が受信されたときなどに、演算を実施して出力手段２４、情報入出力手段２３などに演算結果（情報）を出力するものである。なお、リモコン情報及び試運転スイッチ情報が、後述するアダプター情報Ａに対応する。モード制御手段２６は、情報入力手段２２から出力される情報、記憶手段２５に格納されている制御設定値及びプログラムなどに基づいて各種演算をし、演算結果を出力手段２４にしたり、情報入出力手段２３にしたりするものである。このモード制御手段２６は、試運転スイッチ５０がオンされた場合には、試運転モードが実施されているとの情報をアダプター２及び外部ネットワーク１１を介して集中管理装置１３に送信する。
【００３３】
出力手段２４は、モード制御手段２６からの情報（演算結果）を受け取り、送風ファン１０６、風向板ユニット１０７及び室外機１Ｂ（室外機１Ｂの室外機制御部２１Ｂ）に対し、動作指示を出力するものである。
【００３４】
［制御部２１などの動作説明］
図５は、実施の形態に係る空気調和装置１００の第１の制御フローを示した図である。制御部２１及びアダプター２などから構成されるネットワーク側における動作を図５を用いて説明する。
【００３５】
制御部２１は、空気調和装置１００の運転内容の変更指示を受ける。すなわち、制御部２１は、コントローラ７側からリモコン情報、又は試運転スイッチ５０から試運転スイッチ情報を受ける（ステップＳ１００）。制御部２１は、リモコン情報、又は試運転スイッチ情報に基づいて各種機器（送風ファン１０６など）を動作させる（ステップＳ１０１）。
【００３６】
制御部２１は、ステップＳ１００で受け付けた情報が、試運転スイッチ情報であるか、リモコン情報であるか否かを判定する（ステップＳ１０２）。試運転スイッチ情報である場合には、制御部２１がアダプター２に、試運転スイッチ情報を受け付けたことを示す情報を出力する（ステップＳ１２４）。リモコン情報である場合には、制御部２１がアダプター２に現在実施している運転内容を示す情報、すなわちリモコン情報を受け付けたことを示す情報を出力する（ステップＳ１１４）。
【００３７】
アダプター２は、制御部２１から受け取った情報を保持する。すなわち、試運転スイッチ情報又はリモコン情報を受け付けたことを示す情報を保持する（ステップＳ１０５）。アダプター２が、試運転スイッチ情報又はリモコン情報を受け付けたことを示す情報を保持している状態がステップＳ１０６である。なお、試運転スイッチ情報又はリモコン情報を受け付けたことを示す情報をアダプター情報Ａと称する。
【００３８】
図６は、実施の形態に係る空気調和装置１００の第２の制御フローを示した図である。特に、外部ネットワーク側の動作を図６を用いて説明する。
【００３９】
ユーザーが、操作端末９を操作し、現在の空気調和装置１００がどのように動作しているかについての情報を要求する（ステップＳ２００）。操作端末９からの要求を受け付けた集中管理装置１３は、空気調和装置１００が試運転モードを実施しているか否かを判定する（ステップＳ２０１）。ここで、本ステップＳ２０１で集中管理装置１３が判定する内容は、後述するステップＳ３００にて定期的に更新される。
【００４０】
集中管理装置１３は、試運転モードを実施していると判定すると、空気調和装置１００が試運転モードを実施していることを示す情報を、操作端末９に出力する（ステップＳ２１２）。そして、その情報を受け付けた操作端末９は、試運転モードで運転中であることを表示する（ステップＳ２１３）。操作端末９は、ユーザーが操作することで空気調和装置１００の運転内容を変更できないように、内部制御でロックをかける（ステップＳ２１４）。これにより、空気調和装置１００は宅外からの遠隔での操作がされることが無くなり、サービスマンがより確実に空気調和装置１００の点検などを行うことができるようになる。
【００４１】
集中管理装置１３は、試運転モードを実施していないと判定すると、空気調和装置１００が現在実施している運転内容を示す情報を、操作端末９に出力する（ステップＳ２２２）。そして、その情報を受けた操作端末９は、運転内容を表示する（ステップＳ２２３）。操作端末９は、操作端末９を使用するユーザーから空気調和装置１００の運転内容の変更を受け付ける（ステップＳ２２４）。
【００４２】
操作端末９は、空気調和装置１００の運転内容の変更指示があるか否かを判定する（ステップＳ２２５）。変更指示がない場合には、ステップＳ２００に戻る。一方、変更指示があった場合には、操作端末９は、運転内容の変更を示す情報を集中管理装置１３に出力する（ステップＳ２２６）。
【００４３】
集中管理装置１３は、操作端末９から受け取った情報を保持する。すなわち、集中管理装置１３は、操作端末９から出力された運転内容の変更を示す情報を保持する（ステップＳ２２７）。集中管理装置１３が、操作端末９から出力された運転内容の変更を示す情報を保持している状態がステップＳ２２８である。なお、操作端末９から出力された運転内容の変更を示す情報を操作情報Ｂと称する。
【００４４】
図７は、実施の形態に係る空気調和装置１００の第３の制御フローを示した図である。図５で説明した制御部２１及びアダプター２などから構成されるネットワーク側の動作と、図６で説明した外部ネットワーク側の動作とに基づいて、空調システム５００が実施する動作を説明する。
【００４５】
アダプター２は、保持していたアダプター情報Ａを、ルータ８及びインターネット網１２を介して、集中管理装置１３に出力する（ステップＳ３００）。集中管理装置１３は、アダプター２から出力されたアダプター情報Ａが、試運転スイッチ情報に関するものであるか否かを判定する（ステップＳ３０１）。試運転スイッチ情報に関するものであれば、集中管理装置１３は、再びステップＳ３００のステップに移行する。
【００４６】
アダプター情報Ａが試運転スイッチ情報に関するものでなければ、集中管理装置１３は、保持していた操作情報Ｂを、インターネット網１２及びルータ８を介して、アダプター２に出力する（ステップＳ３１２）。アダプター２は、受け取った操作情報Ｂを制御部２１に出力する（ステップＳ３１３）。
【００４７】
制御部２１は、試運転スイッチ５０がオフされているか否かを判定する（ステップＳ３１４）。オフされている場合には、制御部２１は、ユーザーが指示した情報である操作情報Ｂに基づいて各種機器（送風ファン１０６など）を動作させる（ステップＳ３１５）。たとえば、風量を増大させる指示がユーザーからされている場合には、制御部２１は、送風ファン１０６の風量を増大させる。その後、ステップＳ３００に戻る。
【００４８】
試運転スイッチ５０がオフされていない場合は、制御部２１は、操作情報Ｂに関わらず、空気調和装置１００に試運転モードを実施させる。その後、ステップＳ３００に戻る。このような場合は、制御部２１と集中管理装置１３とが第１のタイミングで通信を行い、集中管理装置１３から制御部２１に動作変更をするための操作情報Ｂが、第２のタイミングで出力されたが、第１のタイミングと第２のタイミングとの間に試運転スイッチ５０がオンされた場合である。すなわち、第１のタイミングの時点では、試運転スイッチ５０がオフであったため（図５のステップＳ１０２からステップＳ１１４参照）、その結果として幾つかのステップを経て第２のタイミング（ステップＳ３１３）にて制御部２１に操作情報Ｂが出力されることとなったが、第１のタイミングと第２のタイミングの間に、試運転スイッチ５０がオンされたということである。
【００４９】
［効果について］
本実施の形態に係る空気調和装置１００（空調システム５００）は、試運転モードを実施している場合には、操作端末９、集中管理装置１３、インターネット網１２、ルータ８及びアダプター２を介して出力されるユーザーからの指示に関わらず、試運転モードを実施するものである。このため、空気調和装置１００（空調システム５００）は、サービスマンが空気調和装置１００の点検、修理がしにくくなって空気調和装置１００のメンテナンス性が損なわれてしまうということを抑制することができる。
【００５０】
サービスマンは、試運転スイッチ５０をオンして点検しているときにおいて、室内機１の図示省略の前面パネルを外し、送風ファン１０６及びその周囲に手を入れる可能性がある。サービスマンが手を入れているときに、操作端末９からの指示で送風ファン１０６が駆動してしまい、手を切ってしまうような事態を防止することができる。
【符号の説明】
【００５１】
１  室内機、１Ｂ  室外機、２  アダプター、３  受信部、７  コントローラ、８  ルータ、９  操作端末、１０  居宅、１１  外部ネットワーク、１２  インターネット網、１３  集中管理装置、１３Ａ  動作規制手段、１３Ｂ  記憶手段、２１  制御部、２１Ｂ  室外機制御部、２２  情報入力手段、２３  情報入出力手段、２４  出力手段、２５  記憶手段、２６  モード制御手段、５０  試運転スイッチ、５１  絞り装置、５２  圧縮機、５３  四方弁、５４  室外熱交換器、５５  室外送風ファン、６３  冷媒配管、１００  空気調和装置、１０６  送風ファン、１０７  風向板ユニット、１０８  室内熱交換器、５００  空調システム、Ａ  アダプター情報、Ｂ  操作情報。
【図１】
0006021768.tif 000002
【図２】
0006021768.tif 000003
【図３】
0006021768.tif 000004
【図４】
0006021768.tif 000005
【図５】
0006021768.tif 000006
【図６】
0006021768.tif 000007
【図７】
0006021768.tif 000008
【図８】
0006021768.tif 000009